(57)【要約】【課題】複数の補正対象画像の色調を簡単に統一することができる画像処理装置を提供する。【解決手段】マウスなどの入力装置により、補正対象画像４２へ適用したい色調を有する見本領域が見本画像４１から選択され、見本領域受付部１１ｂへ入力される。矩形枠４１ｘで示される見本領域を、補正対象画像４２の色調補正を行いたい領域４２ａへドラッグアンドドロップすると、ドロップ地点の座標が補正座標受付部１１ｃへ入力される。その結果、ドロップ地点の周囲に広がる同一のテクスチャや色味を持った領域４２ａが見本領域と同様の色調を持つように、色調補正部１１ｅにより色調補正が行われる。またドロップ地点には、見本領域と関連付けられていることを表すマーカー４２ｘが表示される。【選択図】図４
2010183354.tif 000002
【特許請求の範囲】
【請求項１】
見本画像と補正対象画像とを表示装置に表示する表示工程と、
前記見本画像の領域内に見本領域を設定する見本領域設定工程と、
前記見本領域を前記補正対象画像の領域内へドラッグアンドドロップする操作に応じて入力装置が出力する操作信号を受け付ける受付工程と、
前記受付工程により受け付けられた操作信号に基づいて前記補正対象画像の領域内に補正座標を設定し、前記見本画像の見本領域と前記補正対象画像の領域内における前記補正座標との関連付けを行う関連付け工程と、
前記補正座標に基づいて、前記補正対象画像の領域内において補正領域を設定する補正領域設定工程と、
前記補正領域の画像に対して、この補正領域に関連付けられている前記見本画像の見本領域に基づいた色調補正を行う第１の色調補正工程と、
をコンピュータに実行させることを特徴とする画像処理プログラム。
【請求項２】
請求項１に記載の画像処理プログラムにおいて、
前記補正領域設定工程は、前記見本領域がドラッグされている間、前記入力装置の指示位置に基づいて前記補正領域を仮設定し、
前記第１の色調補正工程は、前記補正領域設定工程により仮設定された補正領域の画像に対して色調補正を行い、
前記表示工程は、前記第１の色調補正工程により色調補正が行われた前記補正対象画像を表示することを特徴とする画像処理プログラム。
【請求項３】
請求項１または２に記載の画像処理プログラムにおいて、
前記補正座標を変更させる変更工程をさらに有し、
前記補正領域設定工程は、前記変更工程により変更された補正座標に基づいて前記補正領域を設定することを特徴とする画像処理プログラム。
【請求項４】
請求項１〜３のいずれか一項に記載の画像処理プログラムにおいて、
前記補正領域設定工程は、前記補正座標に基づいて、テクスチャ，色味，および明るさの少なくとも１つが同一の領域を検出し、前記補正領域として設定することを特徴とする画像処理プログラム。
【請求項５】
請求項１〜４のいずれか一項に記載の画像処理プログラムにおいて、
前記第１の色調補正工程は、前記補正領域の色調を前記見本領域と同一の色調とする色調補正を行うことを特徴とする画像処理プログラム。
【請求項６】
請求項１〜５のいずれか一項に記載の画像処理プログラムにおいて、
前記見本領域の色調が変化したことを検出する第１の変化検出工程と、
前記第１の変化検出工程による変化の検出に応じて、前記見本領域との関連付けが行われた全ての補正領域に対し前記見本領域に基づいた色調補正を行う第２の色調補正工程と、
をさらに有することを特徴とする画像処理プログラム。
【請求項７】
請求項１〜５のいずれか一項に記載の画像処理プログラムにおいて、
前記補正領域の色調が変化したことを検出する第２の変化検出工程と、
前記第２の変化検出工程による変化の検出に応じて、前記補正領域と関連する前記見本画像に対し前記補正領域に基づいた色調補正を行う第３の色調補正工程と、
前記第３の色調補正工程による色調補正に基づいて、前記見本画像の見本領域に関連する全ての補正対象画像の補正領域に対し前記見本領域に基づいた色調補正を行う第４の色調補正工程と、
をさらに有することを特徴とする画像処理プログラム。
【請求項８】
請求項７に記載の画像処理プログラムにおいて、
前記第３の色調補正工程による色調補正の後に、前記入力装置からの入力に基づいて、前記見本画像の見本領域に関連付けられた複数の補正対象画像のうち、前記第４の色調補正工程による色調補正を行わない補正対象画像を選択する選択工程をさらに有することを特徴とする画像処理プログラム。
【請求項９】
請求項８に記載の画像処理プログラムにおいて、
前記選択工程により選択された全ての補正対象画像を前記見本画像の見本領域と関連付けられていない状態にする関連付け解除工程をさらに有することを特徴とする画像処理プログラム。
【請求項１０】
請求項６に記載の画像処理プログラムにおいて、
前記補正領域の色調が変化したことを検出する第２の変化検出工程と、
前記第２の変化検出工程による変化の検出に応じて、前記補正領域と関連する前記見本画像に対し前記補正領域に基づいた色調補正を行う第３の色調補正工程と、
前記第３の色調補正工程による色調補正に基づいて、前記見本画像の見本領域に関連する全ての補正対象画像の補正領域のうち、前記第２の変化検出工程で変化が検出された補正領域以外の補正領域に対し前記見本領域に基づいた色調補正を行う第４の色調補正工程と、
前記第１の変化検出工程および前記第２の変化検出工程を互いに切り替えて実行させる切替工程と、
をさらに有することを特徴とする画像処理プログラム。
【請求項１１】
請求項１〜１０のいずれか一項に記載の画像処理プログラムにおいて、
前記表示工程において、複数の前記見本画像を前記表示装置へサムネイル表示することを特徴とする画像処理プログラム。
【請求項１２】
請求項１〜１１のいずれか一項に記載の画像処理プログラムにおいて、
複数の前記補正対象画像をグループ化するグループ作成工程と、
前記グループを表すシンボルを前記表示装置へ表示するグループ表示工程と、
前記グループに含まれる前記複数の補正対象画像の各々に対して前記補正領域を設定する自動設定手段と、
をさらに有し、
前記関連付け工程は、前記入力装置による前記見本領域の前記シンボルへのドラッグアンドドロップ操作に基づいて、前記見本領域と前記自動設定手段により設定された補正領域とを関連付けることを特徴とする画像処理プログラム。
【請求項１３】
請求項１〜１２のいずれか一項に記載の画像処理プログラムを実行するデジタルカメラ。
【発明の詳細な説明】
【技術分野】
【０００１】
本発明は、画像の色調補正を行う画像処理プログラムおよびデジタルカメラに関する。
【背景技術】
【０００２】
デジタルカメラ等により作成されたデジタル画像に対し、ユーザが望む色調となるよう色調補正を行う画像処理装置が存在する。このような画像処理装置を用いれば、複数の画像の色調を統一することができる。例えば特許文献１には、目標色指定用画像で指定した色を用いて元画像の色調を変更する画像処理装置が開示されている。
【先行技術文献】
【特許文献】
【０００３】
【特許文献１】特開２００７−５３５４３号公報
【発明の概要】
【発明が解決しようとする課題】
【０００４】
従来技術では、複数の補正対象画像の色調を統一する操作は、目標色指定用画像における領域指定と補正対象画像における領域指定とを別々に指定するという、非直感的な操作だった。
【課題を解決するための手段】
【０００５】
請求項１に係る発明は、見本画像と補正対象画像とを表示装置に表示する表示工程と、前記見本画像の領域内に見本領域を設定する見本領域設定工程と、前記見本領域を前記補正対象画像の領域内へドラッグアンドドロップする操作に応じて入力装置が出力する操作信号を受け付ける受付工程と、前記受付工程により受け付けられた操作信号に基づいて前記補正対象画像の領域内に補正座標を設定し、前記見本画像の見本領域と前記補正対象画像の領域内における前記補正座標との関連付けを行う関連付け工程と、前記補正座標に基づいて、前記補正対象画像の領域内において補正領域を設定する補正領域設定工程と、前記補正領域の画像に対して、この補正領域に関連付けられている前記見本画像の見本領域に基づいた色調補正を行う第１の色調補正工程と、をコンピュータに実行させることを特徴とする画像処理プログラムである。
請求項１３に係る発明は、請求項１〜１２のいずれか一項に記載の画像処理プログラムを実行するデジタルカメラである。
【発明の効果】
【０００６】
本発明によれば、見本画像から選択した領域を補正対象画像の補正したい場所へドラッグアンドドロップするという直感的な操作で、複数の画像の色調を統一することができる。
【図面の簡単な説明】
【０００７】
【図１】本実施の形態における画像処理装置の回路構成を示すブロック図である。
【図２】色調補正を行う際に制御回路１１が表示装置１７へ表示する画面の一例である。
【図３】色調補正を行う際に制御回路１１が表示装置１７へ表示するサムネイル表示画面の一例である。
【図４】画像処理装置１が見本画像と補正対象画像との関連付けを行う様子を示す図である。
【図５】補正対象画像における追加の色調補正操作を示す図である。
【図６】見本画像における追加の色調補正操作を示す図である。
【図７】見本画像における追加の色調補正操作がサムネイル表示へ与える影響を示す図である。
【図８】複数の見本画像をパレット表示した画面の例である。
【図９】画像処理装置１による色調補正処理を示すフローチャートである。
【図１０】補正対象画像の修正を見本画像へ反映する操作を示す図である。
【図１１】見本画像と複数の補正対象画像とを一度に関連付ける操作を示す図である。
【発明を実施するための形態】
【０００８】
――第１の実施の形態――
図１は、本実施の形態における画像処理装置の回路構成を示すブロック図である。本実施の形態による画像処理装置１では、色調補正を行うことで複数の画像の色調を統一させる。
【０００９】
画像処理装置１は、制御回路１１，フラッシュメモリ１２，ＤＲＡＭ１３，ＨＤＤ１４，外部機器インタフェース（Ｉ／Ｆ）１５，入力装置１６，および表示装置１７を備える。フラッシュメモリ１２は、制御回路１１が実行する所定の制御プログラムが記憶されている、不揮発性の記憶装置である。ＤＲＡＭ１３は、制御プログラムが使用するデータを一時的に格納するために使用される。ＨＤＤ１４には、画像処理装置１が処理対象とする画像ファイル、ならびに、画像処理装置１により画像処理が行われた画像ファイルが格納されている。
【００１０】
外部機器Ｉ／Ｆ１５は、デジタルカメラなどの外部機器を接続するためのインタフェースである。制御回路１１は、外部機器Ｉ／Ｆ１５へ接続されたデジタルカメラなどの外部機器から、外部機器に格納されている撮影画像ファイルをＨＤＤ１４へ取り込むことができる。入力装置１６はキーボードやマウスなどの各種の入力装置であり、表示装置１７は液晶モニタなどの各種の表示装置である。
【００１１】
制御回路１１は表示制御部１１ａ，見本領域受付部１１ｂ，補正座標受付部１１ｃ，補正領域検出部１１ｄ，色調補正部１１ｅを有する。これらの機能部は、制御回路１１がフラッシュメモリ１２に記憶されている所定の制御プログラムを実行することにより実現される。
【００１２】
表示制御部１１ａは、ＤＲＡＭ１３に記憶されている画像データに基づき、表示装置１７へ画像の表示制御を行う。表示制御部１１ａが利用する画像データは、制御回路１１がＨＤＤ１４から読み出した画像ファイルに含まれる画像データであって、ＤＲＡＭ１３に記憶されているものである。見本領域受付部１１ｂは、入力装置１６が範囲選択操作に応じて出力する操作信号を受け付ける。補正座標受付部１１ｃは、入力装置１６がドラッグアンドドロップ操作に応じて出力する操作信号を受け付ける。補正領域検出部１１ｄは、補正座標受付部１１ｃが受け付けた操作信号に基づき、色調補正を行う領域を検出する。色調補正部１１ｅは、補正領域検出部１１ｄが検出した領域に対し、見本領域受付部１１ｂが受け付けた操作信号に基づく色調補正を行う。
【００１３】
図２は色調補正を行う際に制御回路１１が表示装置１７へ表示する画面の一例である。図２に示した表示画面２１には４つの画像２２，２３ａ，２３ｂ，２３ｃが含まれている。表示制御部１１ａはＨＤＤ１４に記憶されている４つの画像ファイルに基づき、これら４つの画像２２，２３ａ，２３ｂ，２３ｃを表示装置１７へ表示している。
【００１４】
色調補正を行う際、ユーザはＨＤＤ１４に記憶されている複数の画像ファイルの中から、色調補正の基準とする画像ファイルを選択する。この画像ファイルを見本画像ファイルと呼び、見本画像ファイルに基づいて表示される画像を見本画像と呼ぶ。図２に示した表示画面２１では、画像２２が見本画像である。
【００１５】
ユーザは見本画像ファイルを選択した後、色調補正の対象とする画像ファイルを選択する。この画像ファイルを補正対象画像ファイルと呼び、補正対象画像ファイルに基づいて表示される画像を補正対象画像と呼ぶ。図２に示した表示画面２１では、画像２３ａ，２３ｂ，２３ｃが補正対象画像である。ユーザは図２に示した表示画面２１のように、見本画像と補正対象画像とが表示された画面に基づいて色調補正のための操作を行う。
【００１６】
図３は色調補正を行う際に制御回路１１が表示装置１７へ表示する画面の一例（サムネイル表示）である。図３に示した表示画面３１には見本画像表示領域３２と、サムネイル表示領域３３が設けられている。またサムネイル表示領域３３には、補正対象画像３３ａ，３３ｂ，３３ｃ，３３ｄ，３３ｅ，３３ｆが表示されている。すなわち、表示制御部１１ａは１つ以上の補正対象画像をサムネイル表示することができる。
【００１７】
次に、見本画像と補正対象画像との間で行われる色調補正操作を説明する。画像処理装置１は、入力装置１６が出力する操作信号に基づき、見本画像の一部領域と補正対象画像の一点とを関連付ける。そして、この関連付けに基づいた色調補正を行う。見本画像における１つの領域に対して複数の補正対象画像を関連付けるこも可能であり、複数の見本画像の領域に関連付けられた複数の点を１つの補正対象画像中に設定することも可能である。
【００１８】
図４は、画像処理装置１が見本画像と補正対象画像との関連付けを行う様子を示す図である。色調補正操作を行う際、表示装置１７には見本画像４１と補正対象画像４２とが表示されているものとする。以下、見本画像４１の空（符号４１ａで示す領域）の色調と補正対象画像４２の空（符号４２ａで示す領域）の色調とを色調補正により統一するための操作を説明する。
【００１９】
始めに、見本画像４１の領域内から、色調補正の基準となる矩形領域を選択する。矩形領域の選択は、入力装置１６から出力される操作信号に基づいて行われる。図４（ａ）では、符号４１ａで示す領域の色調を補正対象画像４２へ適用するため、ユーザの指示により入力装置１６から制御回路１１へ、符号４１ａで示す領域内に矩形枠４１ｘを設定する操作信号が入力される。この操作信号は見本領域受付部１１ｂへ入力される。
【００２０】
次に、ユーザの指示により入力装置１６から制御回路１１へ、矩形枠４１ｘを補正対象画像４２の領域内の一点へドラッグアンドドロップする操作を表す操作信号が出力される。図４（ｂ）では、符号４２ａで示す領域の色調を補正するため、この領域内の一点へドラッグしている様子が示されている。このとき画面には、矩形枠４１ｘをカーソル位置へドロップした場合に実行される色調補正の結果が、先行して表示されている。すなわち、ユーザはドロップ状態を保ったままカーソルを移動させることにより、現在のカーソル位置へドロップした場合に実行される色調補正の結果を、実際にドロップする前に確認することができる。
【００２１】
ドラッグアンドドロップ操作を表す操作信号は補正座標受付部１１ｃへ入力される。その結果、最終的に図４（ｃ）に示す画面が表示装置１７へ表示される。図４（ｃ）では、ドラッグアンドドロップされた一点の周囲に広がる同一のテクスチャや色味を持った領域４２ａが、見本画像４１の矩形枠４１ｘで囲まれた見本領域と同様の色調を持つように補正が行われている。また、ドラッグアンドドロップされた一点には、見本画像４１の矩形枠４１ｘで示す見本領域と関連付けられていることを表すマーカー４２ｘが表示されている。
【００２２】
このとき制御回路１１は、図４（ｄ）に示すデータ４３をＤＲＡＭ１３に記憶する。データ４３には、見本画像ファイル名４３ａと、見本画像から選択された見本領域の座標４３ｂと、補正対象画像ファイル名４３ｃと、ドラッグアンドドロップした地点の座標４３ｄと、が含まれている。
【００２３】
前述した通り、１つの見本画像から選択した１つの見本領域と、複数の補正対象画像とを関連付けることが可能である。例えば、矩形枠４１ｘをさらに他の補正対象画像へドラッグアンドドロップすると、この補正対象画像へ新たにマーカーが配置され、マーカーが配置された領域の色調が矩形枠４１ｘで囲まれた見本領域に基づいて補正される。この操作をさらに複数の補正対象画像について繰り返すことが可能である。
【００２４】
図５は、補正対象画像における追加の色調補正操作を示す図である。上述した色調補正操作を行い、図４（ｃ）に示した状態となった後で、補正対象画像において色調補正が適用される領域を変更することができる。
【００２５】
まず図５（ａ）に示すように、ユーザの指示により制御回路１１は、マウスカーソルをマーカー４２ｘの位置へ移動させる。次に、マーカー４２ｘをドラッグし、色調補正を適用したい領域へマーカー４２ｘをドロップする操作を表す操作信号が、ユーザの指示により入力装置１６から制御回路１１へ出力される。図５（ｂ）には、領域４２ａ中に存在したマーカー４２ｘを、領域４２ｂへドラッグしている様子が示されている。このときも図４と同様に、マーカー４２ｘを現在のカーソル位置へドロップした場合に実行される色調補正の結果が、画面に即座に反映されている。操作信号に基づき制御回路１１がマーカー４２をドロップすると、図５（ｃ）の表示画面になる。図５（ｃ）では、元々マーカー４２ｘが存在していた領域４２ａは色調補正操作を行う前の状態に復帰している。他方、新たにマーカー４２ｘがドロップされた領域４２ｂは、見本画像４１の見本領域と同一の色調となっている。
【００２６】
図６は、見本画像における追加の色調補正操作を示す図である。図５と同様に、図４（ｃ）に示した状態から追加の操作を行うことで、見本画像における見本領域を変更することができる。
【００２７】
まず、図６（ａ）に示すように、ユーザの指示により制御回路１１は、マウスカーソルを矩形枠４１ｘの位置へ移動させる。次に、図６（ｂ）に示すように、矩形枠４１ｘをドラッグし、新たに見本領域としたい領域へ矩形枠４１ｘをドロップする操作を表す操作信号が、ユーザの指示により入力装置１６から制御回路１１へ出力される。この操作の結果を図６（ｃ）に示す。図６（ｃ）では、マーカー４２ｘが存在する領域４２ａの色調が、領域４１ａではなく領域４１ｂの色調に補正されている。
【００２８】
さらに、１つの見本画像を複数の補正対象画像と関連付けておき、かつ、それらの補正対象画像をサムネイル表示している場合、図６に示した追加の色調補正操作を行うと、サムネイル表示している複数の補正対象画像へ追加の色調補正操作の結果が一度に反映される。
【００２９】
図７は、見本画像における追加の色調補正操作がサムネイル表示へ与える影響を示す図である。始めに、図７（ａ）に示すように、表示装置１７には見本画像表示領域４１と、サムネイル表示領域７１とが設けられている。サムネイル表示領域７１には補正対象画像７２，７３，７４，７５がサムネイル表示されており、これらの画像の領域７２ａ，７３ａ，７４ａ，７５ａは見本画像４１の矩形枠４１ｘで囲まれた見本領域と関連付けられている。すなわち、領域７２ａ，７３ａ，７４ａ，７５ａは矩形枠４１ｘで囲まれた見本領域の色調に補正されている。
【００３０】
図７（ａ）の画面を表示しているとき、図７（ｂ）に示すように、矩形枠４１ｘを領域４１ｂへドラッグアンドドロップする操作を表す操作信号が制御回路１１へ入力されると、図７（ｃ）に示すように、サムネイル表示領域に表示されている補正対象画像７２，７３，７４，７５には、見本領域の変更が一度に反映される。
【００３１】
次に、複数の見本画像を用いる場合について説明する。画像処理装置１では前述の通り、１つの補正対象画像について、複数の見本画像から見本領域を選択して色調補正を行うことが可能である。このように複数の見本画像を扱う場合には、複数の見本画像をパレット表示領域に並べてサムネイル表示することができる。
【００３２】
図８は、複数の見本画像をパレット表示した画面の例である。図８に示す画面には、パレット表示領域８１および補正対象画像表示領域８２が設けられている。パレット表示領域８１には、見本画像８１ａ，８１ｂ，８１ｃ，８１ｄが横一列に並んでサムネイル表示されている。
【００３３】
補正対象画像８２は、複数の見本画像に基づいて色調補正が行われている。マーカー８２ｘは見本画像８１ａの見本領域に基づいて色調補正が行われていることを表し、マーカー８２ｙは見本画像８１ｃの見本領域に基づいて色調補正が行われていることを表す。このように１つの補正対象画像の異なるそれぞれの領域について、異なる見本画像の見本領域に基づく色調補正を行うことが可能である。また、パレット表示領域８１を用いて、色調補正に用いる見本画像および見本領域を選択することができる。
【００３４】
パレット表示領域８１に表示された見本画像から色調補正に用いる見本領域を選択する方法としては、例えば図４に示した見本領域の選択操作をパレット表示領域８１で行えるようにしてもよい。あるいは、サムネイル表示された見本画像全体をドラッグアンドドロップすると、その見本画像について予め選択された見本領域がドラッグアンドドロップされたと見なして色調補正を行うようにしてもよい。また、マウスカーソルをサムネイル表示された見本画像へ重ねると見本画像が拡大表示されるようにしてもよい。
【００３５】
図９は、画像処理装置１による色調補正処理を示すフローチャートである。まずステップＳ１１では、制御回路１１がＨＤＤ１４から画像ファイルを読み出し、表示制御部１１ａにより表示装置１７へ見本画像および補正対象画像が表示される。ステップＳ１２では、見本領域受付部１１ｂが、入力装置１６から出力される、範囲選択操作を表す操作信号を受け付ける。ステップＳ１３では、補正座標受付部１１ｃが、入力装置１６から出力される、見本領域に対して行われたドラッグアンドドロップ操作を表す操作信号を受け付ける。
【００３６】
ステップＳ１４では、補正領域検出部１１ｄが、見本領域を表す矩形枠がドロップされた地点に基づき、色調補正を行う補正対象領域を検出する。ステップＳ１５では、見本領域受付部１１ｂが受け付けた操作信号に基づいて、色調補正部１１ｅにより色調補正が行われる。色調補正の対象となる範囲は、補正領域検出部１１ｄが検出した補正対象領域である。
【００３７】
上述した第１の実施の形態による画像処理装置によれば、次の作用効果が得られる。
（１）見本領域受付部１１ｂおよび補正座標受付部１１ｃへ、見本画像の領域内から見本領域を選択し補正対象画像の領域内へドラッグアンドドロップする操作を表す操作信号が入力されると、補正領域検出部１１ｄが補正対象領域を検出すると共に、色調補正部１１ｅが補正対象領域の画像へ色調補正を行う。これにより、２画像の特定領域の色調統一を、ドラッグアンドドロップ操作により直感的かつ簡単に行うことができる。
【００３８】
（２）表示制御部１１ａは、見本領域のドラッグ中に、補正領域検出部１１ｄが現在のカーソル位置に基づいて検出した補正対象領域の画像の色調を、色調補正部１１ｅによる色調補正を反映させて表示する。これにより、リアルタイムに表示される色調補正の結果を見ながらドロップ地点を選択することができる。
【００３９】
（３）補正領域検出部１１ｄは、ユーザの指示により、補正座標受付部１１ｃにより設定されたマーカーの位置が制御回路１１により変更されると、移動後の位置に基づいて色調補正を再度実行する。これにより、一旦設定した補正対象領域を後で変更することが容易になる。
【００４０】
（４）補正領域検出部１１ｄは、補正座標受付部１１ｃが受け付けた操作信号に基づいて、ドロップ地点の周囲に広がる同一のテクスチャや色味を持った領域を補正対象領域として検出する。これにより、補正を行う範囲の指定を、一点を指し示すだけで行うことができる。
【００４１】
（５）制御回路１１が見本領域の色調の変化を検出すると、色調補正部１１ｅが見本領域と関連付けられた全ての補正対象領域へ変化後の見本領域に基づいた色調補正を行う。これにより、見本画像が変化しても、複数の画像の色調が統一された状態を維持することができる。
【００４２】
（６）表示制御部１１ａは、複数の見本画像をパレット表示領域へサムネイル表示する。これにより、補正に用いる色を容易に選択することができる。
【００４３】
上述した第１の実施の形態では、見本領域に対して変更を与える操作が補正対象画像へ反映されていた。以下に詳述する第２の実施の形態による画像処理装置では、これに加えて、補正対象画像への変更が見本画像へ反映される。
【００４４】
――第２の実施の形態――
図１０は、補正対象画像の修正を見本画像へ反映する操作を示す図である。以下の説明では、図１０（ａ）に示すように、見本画像１０１と補正対象画像１０２，１０３，１０４とが存在するものとしている。図中の矢印は、見本画像と補正対象画像とが関連付けられていることを示している。図１０（ａ）では、見本画像１０１と補正対象画像１０２，１０３，１０４とがそれぞれ関連付けられている。
【００４５】
図１０（ａ）の補正対象画像１０２〜１０４に対して、例えば補正対象画像１０２に各種の画像フィルタを適用するなど、補正対象領域の色調が変化する操作を行うと、図１０（ｂ）に示すダイアログ１０５が表示装置１７に表示される。ダイアログ１０５には、補正対象画像１０２へ加えた変更を見本画像１０１および見本画像１０１に関連付けられているその他の補正対象画像１０３，１０４へ反映するか否かをユーザに問い合わせるメッセージが表示されている。
【００４６】
画像処理装置は、ダイアログ１０５を表示した後、ユーザによる選択肢Ｃ１，Ｃ２，Ｃ３の中からいずれか１つを選択する操作を受け付ける。これらの選択肢の中から１つが選択され、続いて決定ボタン１０６が押されると、画像処理装置は選択された選択肢に応じて見本画像１０１や補正対象画像１０２，１０３，１０４の状態を変化させる。
【００４７】
選択肢Ｃ１が選択された場合、画像処理装置は、補正対象画像１０２へ加えられた変更をその他の画像に一切反映しない。選択肢Ｃ１が選択されると画像処理装置は、図１０（ｃ）に示すように、見本画像１０１と補正対象画像１０２とを関連付けられていない状態にする。
【００４８】
選択肢Ｃ２が選択された場合、画像処理装置は、補正対象画像１０２へ加えた変更を見本画像１０１にのみ反映する。選択肢Ｃ２が選択されると画像処理装置は、図１０（ｄ）に示すように、見本画像１０１を補正対象画像１０２にのみ関連付けられた状態にすると共に、見本画像１０１と補正対象画像１０３，１０４とを関連付けられていない状態にする。画像処理装置はさらに、補正対象画像１０２における色調の変化を見本画像１０１に反映することにより、見本領域および補正対象領域の色調を統一する。
【００４９】
選択肢Ｃ３が選択された場合、画像処理装置は、補正対象画像１０２へ加えた変更を見本画像１０１に反映すると共に、見本画像１０１の新しい色調をその他の補正対象画像１０３，１０４へ反映する。選択肢Ｃ３を選択すると画像処理装置は、図１０（ｅ）に示すように、見本画像１０１および補正対象画像１０２，１０３，１０４の関連付けを変更しない。画像処理装置はさらに、補正対象画像１０２における色調の変化を見本画像１０１およびその他の補正対象画像１０３，１０４へ反映することにより、これら４つの画像の色調を統一する。
【００５０】
ユーザは決定ボタン１０６の代わりに取消ボタン１０７を押下することもできる。取消ボタン１０７が押された場合、補正対象画像１０２へ加えられた変更そのものが取り消される。誤操作等によりユーザの意図しない変更が補正対象画像１０２へ加えられた場合であっても、取消ボタン１０７を押すことにより変更を取り消すことが可能である。
【００５１】
上述した第２の実施の形態による画像処理装置によれば、第１の実施の形態による画像処理装置で得られる作用効果に加えて、次の作用効果が得られる。
（１）制御回路が検出した補正対象領域の変化に応じて、色調補正部による変化後の補正領域に基づいた色調補正が、見本画像ならびにこの見本画像に関連する全ての補正対象画像に対して行われる。これにより、関連する画像の色調が統一された状態は、補正対象画像が変化しても維持される。
【００５２】
上述した第１の実施の形態および第２の実施の形態では、見本画像と補正対象画像とをそれぞれ１つずつ関連付けていた。以下に詳述する第３の実施の形態では、見本画像と複数の補正対象画像とを一度に関連付けることを可能とする。
【００５３】
――第３の実施の形態――
図１１は、見本画像と複数の補正対象画像とを一度に関連付ける操作を示す図である。以下の説明では図１１（ａ）に示すように、表示装置に見本画像表示領域１１１とサムネイル表示領域１１２とが設定されているものとする。
【００５４】
サムネイル表示領域１１２にはフォルダアイコン１１２ａが含まれている。フォルダアイコン１１２は、複数の補正対象画像から成るグループを表すアイコンである。複数の補正対象画像を見本画像と一度に関連付ける際には、まず複数の補正対象画像をグループ化する。画像処理装置は、補正対象画像のグループ化を行った後で、サムネイル表示領域１１２にグループを表すフォルダアイコン１１２ａを表示する。
【００５５】
サムネイル表示領域１１２にフォルダアイコン１１２ａが表示されているとき、制御回路は見本領域をフォルダアイコンへドラッグアンドドロップする操作を表す操作信号を受け付ける。この操作信号は、例えば図１１（ｂ）に示す見本領域１１１ａのフォルダアイコン１１２ａへのドラッグアンドドロップ操作をユーザが指示したとき、入力装置が制御回路へ出力する。上記の操作信号を受け付けると、本実施形態における画像処理装置は、フォルダアイコン１１２ａで表されるグループに属する補正対象画像の各々について、所定のシーン検出処理を行い、補正対象領域を検出する。その後、各々の補正対象領域に対して、見本領域１１１ａに基づく色調補正を行う。
【００５６】
上述した第３の実施の形態による画像処理装置によれば、第２の実施の形態による画像処理装置で得られる作用効果に加えて、次の作用効果が得られる。
（１）ユーザの指示により入力装置から出力される、複数の補正対象画像がグループ化されていることを表すフォルダアイコンへ見本領域をドラッグアンドドロップする操作を表す操作信号が制御回路へ入力されると、制御回路は、グループに属する複数の補正対象画像へ所定のシーン検出処理を実行し、各々の補正対象画像へ補正対象領域を設定する。これにより、複数の画像の色調統一を１度の操作で実行することができる。
【００５７】
次のような変形も本発明の範囲内であり、変形例の一つ、もしくは複数を上述の実施形態と組み合わせることも可能である。
（１）見本画像を画面に表示する際、見本画像であることを示す特徴的な表示を行ってもよい。例えば、見本画像であることを示すアイコンを画像に付加してもよいし、見本画像の周囲に所定の色で枠線を描画してもよい。また、補正対象画像に対しても上記のような特徴的な表示を行ってもよい。
【００５８】
（２）画像の表示方式は、実施の形態で挙げたものに限定されない。例えば、補正対象画像だけではなく見本画像もサムネイル表示してよいし、見本画像でも補正対象画像でもない画像をサムネイル表示してもよい。
【００５９】
（３）画像のサムネイル表示が行われているとき、入力装置が出力する操作信号に基づき、サムネイル表示されている画像を画面に大きく表示してもよい。例えば、マウスカーソルがサムネイル表示されている画像の上に位置しているときにマウスクリックが行われた場合、この画像をサムネイル表示よりも大きく表示してもよい。
【００６０】
（４）見本領域は矩形でなくてもよい。例えば円形であってもよいし、フリーハンドで選択された閉じた領域であってもよい。
【００６１】
（５）見本領域および補正対象領域を選択する操作が、マウス以外の入力装置を用いて行われてもよい。例えばタッチパネルなどによりこれらの操作が行われてもよい。
【００６２】
（６）図７（ｂ）に示すドラッグアンドドロップ操作が行われたとき、サムネイル表示領域に表示されていない補正対象画像にも見本領域の変更を反映してよい。例えば、図２のように並列して表示されている補正対象画像や、一時的に表示されない状態となっている補正対象画像に、見本領域の変更を反映してよい。
【００６３】
（７）矩形枠を移動することによる範囲変更以外の変更が見本領域へ加えられた場合にも、見本領域への変更を補正対象画像へ反映してよい。例えば見本画像全体のコントラストやホワイトバランスなどを変更した場合、見本領域の色調も変化するので、この見本領域と関連付けられている補正対象画像へ見本領域の変更が反映されるようにできる。
【００６４】
（８）見本領域を表す矩形枠をドラッグした際、補正座標を表すマーカーをドラッグした場合と同様に、補正対象画像へ現在のカーソル位置に基づき色調補正を行った結果を画面に表示してよい。
【００６５】
（９）パレット表示領域に複数の見本画像をサムネイル表示する代わりに、各々の見本画像における見本領域のみを並べて表示してもよい。また、見本領域そのものを表示するのではなく、見本領域に基づいて抽出された色をカラーパレットとして表示してもよい。
【００６６】
（１０）第１の実施の形態による画像処理装置が実行する、見本領域へ加えられた変更を補正対象画像へ反映する動作と、第２の実施の形態による画像処理装置が実行する、補正対象画像へ加えられた変更を見本画像へ反映する動作と、を選択可能にしてもよい。この場合、画像処理を行う前にいずれかの動作を選択する指示を受け付けるようにしてもよいし、見本領域または補正対象画像へ変更が加えられる度に、変更を補正対象画像または見本画像へ反映するか否かを選択する操作を受け付けるようにしてもよい。
【００６７】
（１１）画像処理装置がシーン検出処理を実行する際、補正対象領域を見本領域に基づいて自動的に検出するようにしてもよいし、ユーザがメニュー等を用いて与えた指示に基づいて検出するようにしてもよい。例えば、見本領域が空の一部であった場合には補正対象画像から空の領域を検出して補正対象領域としてもよい。あるいは、ドラッグアンドドロップ操作が行われた後にいくつかの選択肢を表示するようにし、検出する領域をユーザが指示した内容に従って切り替えるようにしてもよい。
【００６８】
（１２）フォルダアイコンへドラッグアンドドロップする操作を表す操作信号が受け付けられたとき、シーン検出処理以外の処理によって補正対象領域を検出してもよい。例えば、顔検出処理，人物検出処理，質感検出処理，形状検出処理などの処理を実行し、その結果に基づいて補正対象領域を検出してもよい。
【００６９】
（１３）ドロップ地点を表すマーカーや、見本領域を表す表示枠へ、ドラッグアンドドロップ以外の操作を行えるようにしてもよい。例えば、マーカーをダブルクリックすると対応する見本画像が表示されるようにしてもよいし、種々の操作を選択可能なオプションメニューが表示されるようにしてもよい。
【００７０】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７１】
１  画像処理装置
１１  制御回路
１１ａ  表示制御部
１１ｂ  見本領域受付部
１１ｃ  補正座標受付部
１１ｄ  補正領域検出部
１１ｅ  色調補正部
１６  入力装置
１７  表示装置
【図１】
2010183354.tif 000003
【図２】
2010183354.tif 000004
【図３】
2010183354.tif 000005
【図４】
2010183354.tif 000006
【図５】
2010183354.tif 000007
【図６】
2010183354.tif 000008
【図７】
2010183354.tif 000009
【図８】
2010183354.tif 000010
【図９】
2010183354.tif 000011
【図１０】
2010183354.tif 000012
【図１１】
2010183354.tif 000013